(57)【要約】【課題】多様な演出効果を得ることができるアイスペールおよびアイスペールセットを提供することを目的とする。【解決手段】アイスペールセット１は、アイスペール１０と、当該アイスペール１０が載置されるスタンドテーブル２０を備える。アイスペール１０は、氷を収容する容器本体１１と、容器本体１１の外周面に沿って設けられるフレキシブルディスプレイ１２と、フレキシブルディスプレイ１２に画像を表示させる制御装置と、制御装置に電力を供給するバッテリと、バッテリを充電するための電磁誘導コイルを備える。スタンドテーブル２０は、電磁誘導コイルを相互誘導する励磁コイルを備える。【選択図】図４
2018187094.tif 000002
【特許請求の範囲】
【請求項１】
氷を収容する容器本体と、
前記容器本体の外周面に沿って設けられるフレキシブルディスプレイと、を備えたことを特徴とするアイスペール。
【請求項２】
前記フレキシブルディスプレイに画像を表示させる制御装置を備えたことを特徴とする請求項１に記載のアイスペール。
【請求項３】
前記制御装置に電力を供給するバッテリを備えたことを特徴とする請求項２に記載のアイスペール。
【請求項４】
前記バッテリを充電するための電磁誘導コイルを備えたことを特徴とする請求項３に記載のアイスペール。
【請求項５】
前記電磁誘導コイルは、前記容器本体の底部に設けられていることを特徴とする請求項４に記載のアイスペール。
【請求項６】
前記容器本体は、樹脂からなることを特徴とする請求項１から請求項５のいずれか１項に記載のアイスペール。
【請求項７】
アイスペールと、当該アイスペールが載置されるスタンドテーブルと、を備えたアイスペールセットであって、
前記アイスペールは、
氷を収容する容器本体と、
前記容器本体の外周面に沿って設けられるフレキシブルディスプレイと、
前記フレキシブルディスプレイに画像を表示させる制御装置と、
前記制御装置に電力を供給するバッテリと、
前記バッテリを充電するための電磁誘導コイルと、を備え
前記スタンドテーブルは、
前記電磁誘導コイルを相互誘導する励磁コイルを備えることを特徴とするアイスペールセット。
【発明の詳細な説明】
【技術分野】
【０００１】
本発明は、氷を入れるためのアイスペールと、アイスペールと当該アイスペールが載置されるスタンドテーブルを備えたアイスペールセットとに関する。
【背景技術】
【０００２】
従来、アイスペールと、アイスペールを載せる台とを備えたアイスペールセットが知られている（特許文献１参照）。この技術では、台に光源を設け、光源の光をアイスペールに照射することで、高い演出効果を得ている。
【先行技術文献】
【特許文献】
【０００３】
【特許文献１】特開２００３−３３９１８０号公報
【発明の概要】
【発明が解決しようとする課題】
【０００４】
しかしながら、従来技術では、光源の光をアイスペールに照射させるだけなので、演出効果が単調になるという問題がある。
【０００５】
そこで、本発明は、多様な演出効果を得ることができるアイスペールおよびアイスペールセットを提供することを目的とする。
【課題を解決するための手段】
【０００６】
前記課題を解決するため、本発明に係るアイスペールは、氷を収容する容器本体と、前記容器本体の外周面に沿って設けられるフレキシブルディスプレイと、を備える。
【０００７】
この構成によれば、フレキシブルディスプレイによって様々な画像をアイスペールの表面に表示することができるので、多様な演出効果を得ることができる。
【０００８】
また、前記アイスペールは、前記フレキシブルディスプレイに画像を表示させる制御装置を備えていてもよい。
【０００９】
また、前記アイスペールは、前記制御装置に電力を供給するバッテリを備えていてもよい。
【００１０】
また、前記アイスペールは、前記バッテリを充電するための電磁誘導コイルを備えていてもよい。
【００１１】
また、前記電磁誘導コイルは、前記容器本体の底部に設けられていてもよい。
【００１２】
また、前記容器本体は、樹脂からなっていてもよい。
【００１３】
これによれば、例えば容器本体が金属からなるものに比べ、容器本体内の氷によってフレキシブルディスプレイが過度に冷却されるのを抑えることができる。
【００１４】
また、本発明に係るアイスペールセットは、アイスペールと、当該アイスペールが載置されるスタンドテーブルと、を備える。
前記アイスペールは、氷を収容する容器本体と、前記容器本体の外周面に沿って設けられるフレキシブルディスプレイと、前記フレキシブルディスプレイに画像を表示させる制御装置と、前記制御装置に電力を供給するバッテリと、前記バッテリを充電するための電磁誘導コイルと、を備える。
前記スタンドテーブルは、前記電磁誘導コイルに向かう磁束を発生する励磁コイルを備える。
【００１５】
この構成によれば、フレキシブルディスプレイによって様々な画像をアイスペールの表面に表示することができるので、多様な演出効果を得ることができる。また、アイスペールをスタンドテーブルに載置されている間に、バッテリを充電することができるので、アイスペールの使用中にバッテリが切れるのを抑えることができる。
【発明の効果】
【００１６】
本発明によれば、アイスペールによって多様な演出効果を得ることができる。
【図面の簡単な説明】
【００１７】
【図１】本発明の一実施形態に係るアイスペールセットを示す斜視図である。
【図２】アイスペールを分解して示す斜視図である。
【図３】スタンドテーブルを示す斜視図である。
【図４】アイスペールセットの使用状態を示す斜視図である。
【発明を実施するための形態】
【００１８】
次に、本発明の実施形態について、適宜図面を参照しながら詳細に説明する。
図１に示すように、アイスペールセット１は、アイスペール１０と、当該アイスペール１０が載置されるスタンドテーブル２０とを備える。
【００１９】
図２に示すように、アイスペール１０は、氷を収容する容器本体１１と、容器本体１１の外周面に沿って設けられるフレキシブルディスプレイ１２と、フレキシブルディスプレイ１２に画像を表示させる制御装置１３と、制御装置１３に電力を供給するバッテリ１４と、バッテリ１４を充電するための電磁誘導コイル１５とを備える。
【００２０】
容器本体１１は、樹脂、例えばガラス繊維などを含んでなる強化プラスチックなどからなっており、主に、底部１１Ａと、側部１１Ｂとを有している。底部１１Ａは、円板状に形成されている。側部１１Ｂは、底部１１Ａの外周端から上方に突出し、上方に向かうにつれて徐々に拡径している。側部１１Ｂの上端の一部は、他部よりも上方に位置しており、これにより、容器本体１１の開口が楕円状に形成されている。
【００２１】
底部１１Ａには、制御装置１３、バッテリ１４および電磁誘導コイル１５が埋め込まれている。制御装置１３は、ＣＰＵ、ＲＡＭ、通信部などを備えている。制御装置１３は、通信部を介して、後述するサーバ３０（図４参照）と無線通信することが可能となっている。
【００２２】
電磁誘導コイル１５は、磁束の入力により誘導電流を発生するコイルであり、バッテリ１４に接続されている。電磁誘導コイル１５の中心は、円板状の底部１１Ａの中心に配置されている。
【００２３】
フレキシブルディスプレイ１２は、柔軟性のあるディスプレイである。フレキシブルディスプレイ１２としては、例えば、透明アモルファス酸化物半導体（ＴＡＯＳ）と透明薄膜トランジスタ（ＴＦＴ）をプラスチックフィルム基板上に形成したものを利用することができる。フレキシブルディスプレイ１２は、容器本体１１の側部１１Ｂを展開した形状に形成され、側部１１Ｂに巻き付けられた状態で接着剤などによって固定される。
【００２４】
図３に示すように、スタンドテーブル２０は、天板部２１と、脚部２２と、ベース部２３とを備えている。天板部２１は、上方から見て円板形状であり、その上部の形状は、アイスペール１０の底部１１Ａが嵌り込むような凹形状となっている。天板部２１の中心部には、電磁誘導コイル１５を相互誘導する励磁コイル２４が埋め込まれている。
【００２５】
脚部２２は、上下方向に延びる円柱状に形成され、天板部２１の中心部を下から支持している。ベース部２３は、円板状に形成され、その中心で脚部２２を下から支持している。
【００２６】
脚部２２およびベース部２３内には、励磁コイル２４に接続された導線２４Ａが配線されている。ベース部２３には、導線２４Ａに接続された電源コード２３Ａが設けられている。励磁コイル２４は、導線２４Ａおよび電源コード２３Ａなどを介して、図示せぬ商用電源に接続されている。
【００２７】
次に、アイスペールセット１による作用効果について説明する。
図４に示すように、サーバ３０に様々な画像情報を記憶させておき、サーバ３０内の画像をインターネットなどを介してアイスペール１０のフレキシブルディスプレイ１２に表示させる。これにより、アイスペール１０の外表面に様々な画像が表示されるので、多様な演出効果を得ることができる。
【００２８】
また、画像情報として企業の広告情報をサーバ３０に記憶させた場合には、様々な広告をアイスペール１０の外表面に表示することができるので、クラブやスナックなどのお店でお酒を飲みながら顧客が広告を見ることができる。特に、シャンパンなどの高級な酒を注文したときのみにしかアイスペールセット１を使用しない場合には、富裕層のみをターゲットにした広告の提供を行うことができるので、非常に高い費用対効果を得ることができる。
【００２９】
以上、本実施形態によれば、前述した効果に加え、以下のような効果を得ることができる。
容器本体１１が樹脂からなっているので、例えば容器本体が金属からなるものに比べ、容器本体１１内の氷によってフレキシブルディスプレイ１２やバッテリ１４などが過度に冷却されるのを抑えることができる。
【００３０】
スタンドテーブル２０に、アイスペール１０の電磁誘導コイル１５に向かう磁束を発生する励磁コイル２４を設けることで、アイスペール１０をスタンドテーブル２０に載置している間に、バッテリ１４を充電することができるので、アイスペール１０の使用中にバッテリ１４が切れるのを抑えることができる。
【００３１】
電磁誘導コイル１５を円板状の底部１１Ａの中心部に配置するとともに、励磁コイル２４を円板状の天板部２１の中心部に配置したので、天板部２１に対してアイスペール１０をどの向きに配置しても、バッテリ１４を効率良く充電することができる。
【００３２】
なお、本発明は前記実施形態に限定されることなく、以下に例示するように様々な形態で利用できる。
前記実施形態では、バッテリ１４を容器本体１１の底部１１Ａに設けたが、本発明はこれに限定されず、例えばバッテリを容器本体の側部の上端付近に設けてもよい。詳しくは、容器本体の内周面に水面の最大高さの位置を示す目盛りを形成した場合には、この目盛りよりも上にバッテリを設けてもよい。これによれば、容器本体内の氷によってバッテリが過度に冷却されるのを抑え、バッテリを効率良く利用することができる。なお、制御装置も同様に、容器本体の側部の上端付近（前述した目盛りよりも上）に設けてもよい。
【００３３】
前記実施形態では、容器本体１１の底部１１Ａに制御装置１３等を埋め込んだが、本発明はこれに限定されるものではない。例えば、容器本体の底部を、内部に制御装置等を収容する収容空間を有する容器状に構成してもよい。また、容器本体の内部空間と、制御装置等との間に、樹脂よりも断熱性の高い断熱材や空気層などを設けてもよい。
【００３４】
また、前記した実施形態および変形例で説明した各要素を、任意に組み合わせて実施してもよい。
【符号の説明】
【００３５】
１      アイスペールセット
１０    アイスペール
１１    容器本体
１２    フレキシブルディスプレイ
１３    制御装置
１４    バッテリ
１５    電磁誘導コイル
２０    スタンドテーブル
２４    励磁コイル
【図１】
2018187094.tif 000003
【図２】
2018187094.tif 000004
【図３】
2018187094.tif 000005
【図４】
2018187094.tif 000006